(57)【要約】【課題】本発明の車両用携帯通信端末保持具は、本発明は保持具に対する携帯通信端末の着脱が容易で、且つ、製造コストが安価な車両用携帯通信端末保持具を得ることを課題とする。【構成】携帯通信端末の背面と対向する表面を有する保持具本体と、携帯通信端末の側面を保持可能な側面保持部を有する左右一対の腕状部材と、携帯通信端末の下方位置を支持可能な底受部材と、上記保持具本体の車両への固定手段と、を有し、上記底受部材は、上記保持具本体に対して上下方向への移動が可能に構成され、上記保持具本体に対する上記底受部材の下方向への移動に連動して上記左右一対の腕状部材の側面保持部が互いに近接する方向に移動するように構成されることを特徴とする。【選択図】図１
2015163491.tif 000002
【特許請求の範囲】
【請求項１】
携帯通信端末の背面と対向する表面を有する保持具本体と、携帯通信端末の側面を保持可能な側面保持部が一端に形成された左右一対の腕状部材と、携帯通信端末の下方位置を支持可能な底受部材と、上記保持具本体の車両への固定手段と、を有し、
上記底受部材は、上記保持具本体に対して上下方向への移動が可能に構成され、
上記保持具本体に対する上記底受部材の下方向への移動に連動して上記左右一対の腕状部材の側面保持部が互いに近接する方向に移動するように構成されることを特徴とする車両用携帯通信端末保持具。
【請求項２】
上記保持具本体に対する上記底受部材の上方向への移動に連動して上記左右一対の腕状部材の側面保持部が互いに離間する方向に移動するように構成されることを特徴とする請求項１記載の車両用携帯通信端末保持具。
【請求項３】
上記腕状部材の側面保持部の移動距離は、上記保持具本体に対して上記底受部材が上方位置にある場合の、上記保持具本体に対する上記底受部材の移動に連動して移動する距離よりも、上記保持具本体に対して上記底受部材が下方位置にある場合の、上記保持具本体に対する上記底受部材の移動に連動して移動する距離の方が小さくなるように構成されることを特徴とする請求項１または２記載の車両用携帯通信端末保持具。
【請求項４】
上記左右一対の腕状部材の他端の位置には夫々、上記底受部材に対して回動可能な軸支部が設けられ、上記左右一対の腕状部材の中間の位置には夫々、上記保持具本体とのガイド手段が設けられ、
上記保持具本体に対して上記底受部材が下方向に移動した際に上記左右一対の腕状部材の側面保持部が互いに近接する方向に移動するように構成されることを特徴とする請求項１〜３の何れか１項記載の車両用携帯通信端末保持具。
【請求項５】
上記軸支部は、上記腕状部材もしくは上記底受部材の何れか一方から突出するボスと、上記腕状部材もしくは上記底受部材の何れか他方に形成された上記ボスが挿入可能な穴より構成され、
上記ガイド手段は、上記腕状部材もしくは上記保持具本体の何れか一方に形成されたガイド面と、上記腕状部材もしくは上記保持具本体の何れか他方の部品に形成された、上記ガイド面に対して摺動可能な部分を有するガイド突起により構成されることを特徴とする請求項４記載の車両用携帯通信端末保持具。
【請求項６】
上記左右一対の腕状部材の中間の位置には夫々、上記保持具本体に対して回動可能な軸支部が設けられ、
上記左右一対の腕状部材の他端の位置には夫々、上記底受部材とのガイド手段が設けられ、
上記保持具本体に対して上記底受部材が下方向に移動した際に上記左右一対の腕状部材の側面保持部が互いに近接する方向に移動するように構成されることを特徴とする請求項１〜３の何れか１項記載の車両用携帯通信端末保持具。
【請求項７】
上記軸支部は、上記腕状部材もしくは上記保持具本体の何れか一方から突出するボスと、上記腕状部材もしくは上記保持具本体の何れか他方に形成された上記ボスが挿入可能な穴より構成され、
上記ガイド手段は、上記腕状部材もしくは上記底受部材の何れか一方に形成されたガイド面と、上記腕状部材もしくは上記底受部材の何れか他方の部品に形成された、上記ガイド面に対して摺動可能な部分を有するガイド突起により構成されることを特徴とする請求項５記載の車両用携帯通信端末保持具。
【請求項８】
上記軸支部に対する上記ガイド面の位置および形状は、上記保持具本体に対して上記底受部材が上方位置にある場合の上記底受部材の移動距離に対する腕状部材の回動角度よりも、上記保持具本体に対して上記底受部材が下方位置にある場合の上記底受部材の移動距離に対する腕状部材の回動角度の方が小さくなるように構成されることを特徴とする請求項５または７記載の車両用携帯通信端末保持具。
【請求項９】
上記ガイド面は、上記保持具本体に対して上記底受部材が下方向に移動した際に上記左右一対の腕状部材の側面保持部が互いに近接する方向に移動するためのガイド面と、上記保持具本体に対して上記底受部材が上方向に移動した際に上記左右一対の腕状部材の側面保持部が互いに離間する方向に移動するためのガイド面と、を有することを特徴とする請求項５、７、８の何れか１項記載の車両用携帯通信端末保持具。
【請求項１０】
上記左右一対の腕状部材の他端の位置には夫々、上記保持具本体に対して回動可能な軸支部が設けられ、上記左右一対の腕状部材の軸支部の周囲の部分には夫々複数の係合歯が形成され、上記底受部材には上方向に向かって延在部が形成され、上記延在部の左右の面には複数の係合歯が形成され、上記腕状部材の係合歯と、上記底受部材の係合歯が互いに係合するように構成されることにより、上記保持具本体に対して上記底受部材が下方向に移動した際に上記左右一対の腕状部材の上記側面保持部が、互いに近接する方向に移動するように構成されることを特徴とする請求項１〜３の何れか１項記載の車両用携帯通信端末保持具。
【請求項１１】
上記腕状部材の係合歯の上記軸支部からの距離は、上記保持具本体に対して上記底受部材が上方位置にある場合の上記底受部材の係合歯との係合位置で短く、上記保持具本体に対して上記底受部材が下方位置にある場合の上記底受部材の係合歯との係合位置で長くなるように形成されることを特徴とする請求項１０記載の車両用携帯通信端末保持具。
【発明の詳細な説明】
【技術分野】
【０００１】
本発明は車両に携帯電話機、携帯情報通信端末、スマートフォン等の、携帯通信端末を保持するための車両用携帯通信端末保持具に関するものである。
【背景技術】
【０００２】
登録実用新案３１８４０１１号公報には、図１４に示すように、自動車のサンバイザーへの固定手段を有する保持具本体４０１の表面に、伸縮性を有する上側バンド４０２と下側バンド４０３によって携帯電話機（携帯通信端末３００）を保持する携帯電話機保持具が開示されている。
【０００３】
しかしながら上記従来技術においては、携帯電話機を保持する際に、上側バンド４０２および下側バンド４０３を手で引っ張り、広げながら、携帯電話機を保持具本体４０１の上側バンド４０２と下側バンド４０３の間に挿入する必要があるため、両手で作業する必要があり、携帯電話機の着脱作業が不便であった。
【０００４】
また登録実用新案３１８６２５０号公報には、図１５に示すように、自動車のダッシュボード等に固定可能な装着基部４１１を有し、携帯通信端末３００を保持する保持部本体４１２の表面には一対の保持アーム４１３が配置され、上記一対の保持アーム４１３がバネによって互いに近接する方向に附勢されるように構成されることによって、上記一対の保持アーム４１３が携帯通信端末３００の側面を保持する車両用携帯通信端末保持具が開示されている。
【０００５】
上記従来技術においても同様に、携帯通信端末３００を保持する際に、バネの附勢力に対抗して他方のアームを一方のアームから離間する方向に移動しながら、携帯通信端末３００を一方のアームと他方のアーム間に挿入する必要があるため、両手で作業する必要があった。
【０００６】
また、他の従来技術として、登録実用新案３０５０８１１号公報には、図１６に示すように、車内の所望位置に取付け可能な固定手段を有する背板ユニット部４２１と、携帯電話機本体（携帯通信端末３００）の荷重を受けることが可能な底板部４２２を有し上方向にバネ４２３によって附勢されるリンク素体４２４を有するリンク機構部を介して上記背板ユニット部４２１の前面に所定の厚み間隔を隔ててその厚み間隔を広狭調整可能に対向して枢着される前板部４２５とから成り、上記底板部４２２に携帯電話機本体の荷重をかけることにより平行移動する上記リンク機構部を介して上記前板部４２５と背板ユニット部４２１とにより携帯電話機本体を厚みに応じて前後から略全面的に挟持することを特徴とする携帯電話機等の車載用ホルダーが開示されている。
【０００７】
しかしながら上記従来技術においては、携帯電話機等を横方向に置いて使いたい場合でも、左右にあるリンク機構部の部品に妨げられる為に横置きが困難であり、携帯電話機等の横置きを可能にするために上記背板ユニット部４２１と前板部４２５を横置きの幅に合わせたサイズにした場合には、携帯電話機等を縦置きで置いた場合に、左右に空間が出来て携帯電話機等の保持が不安定になってしまうため携帯電話機等を縦置きと、横置きの両方で使用することができなかった。
【０００８】
また、携帯電話機等を容易に挿入できるようにするために、携帯電話機等の非保持状態においては、前板部４２５を上部に押し上げる必要があり、その為にバネ４２３が必要となり、コスト上昇の原因となっていた。
【０００９】
更に、携帯電話機等を保持する為の部品である前板部４２５が携帯電話機等の画面を略全面的に挟持している為、携帯電話機等の画面を隠す事となり、携帯電話機等の画面確認及び画面操作が困難となる欠点があった。
【００１０】
また、他の一般的な携帯電話機等の保持装置では、一対の保持アームがバネによって互いに近接する方向に附勢されるように構成されると共に、可動する保持アームが互いに離間した状態で、離間状態の維持と解除が可能なロック機構を有する携帯通信端末保持具も存在するが、構造が複雑になり高価であると共に、携帯通信端末保持具から携帯通信端末を取り出す際には、携帯通信端末に傷が付くことを防止するために、先に保持アームを、互いに離間した状態が維持される位置でまで拡げてから、携帯通信端末を取り出す必要があり、携帯通信端末を保持装置から取り出す際の作業性が悪かった。
【先行技術文献】
【特許文献】
【００１１】
【特許文献１】登録実用新案３１８４０１１号公報
【特許文献２】登録実用新案３１８６２５０号公報
【特許文献３】登録実用新案３０５０８１１号公報
【発明の概要】
【発明が解決しようとする課題】
【００１２】
本発明の車両用携帯通信端末保持具は、保持具に対する携帯通信端末の着脱が容易で、且つ、製造コストが安価な車両用携帯通信端末保持具を得ることを課題とする。
【課題を解決するための手段】
【００１３】
本発明の車両用携帯通信端末保持具は、携帯通信端末の背面と対向する表面を有する保持具本体と、携帯通信端末の側面を保持可能な側面保持部が一端に形成された左右一対の腕状部材と、携帯通信端末の下方位置を支持可能な底受部材と、上記保持具本体の車両への固定手段と、を有し、上記底受部材は、上記保持具本体に対して上下方向への移動が可能に構成され、上記保持具本体に対する上記底受部材の下方向への移動に連動して上記左右一対の腕状部材の側面保持部が互いに近接する方向に移動するように構成されることを特徴とする。
【００１４】
更に、上記保持具本体に対する上記底受部材の上方向への移動に連動して上記左右一対の腕状部材の側面保持部が互いに離間する方向に移動するように構成されると良い。
【００１５】
更に、上記腕状部材の側面保持部の移動距離は、上記保持具本体に対して上記底受部材が上方位置にある場合の、上記保持具本体に対する上記底受部材の移動に連動して移動する距離よりも、上記保持具本体に対して上記底受部材が下方位置にある場合の、上記保持具本体に対する上記底受部材の移動に連動して移動する距離の方が小さくなるように構成されると良い。
【００１６】
更に、上記左右一対の腕状部材の他端の位置には夫々、上記底受部材に対して回動可能な軸支部が設けられ、上記左右一対の腕状部材の中間の位置には夫々、上記保持具本体とのガイド手段が設けられ、上記保持具本体に対して上記底受部材が下方向に移動した際に上記左右一対の腕状部材の側面保持部が互いに近接する方向に移動するように構成されると良い。
【００１７】
更に、上記軸支部は、上記腕状部材もしくは上記底受部材の何れか一方から突出するボスと、上記腕状部材もしくは上記底受部材の何れか他方に形成された上記ボスが挿入可能な穴より構成され、上記ガイド手段は、上記腕状部材もしくは上記保持具本体の何れか一方に形成されたガイド面と、上記腕状部材もしくは上記保持具本体の何れか他方の部品に形成された、上記ガイド面に対して摺動可能な部分を有するガイド突起により構成されると良い。
【００１８】
また、上記左右一対の腕状部材の中間の位置には夫々、上記保持具本体に対して回動可能な軸支部が設けられ、上記左右一対の腕状部材の他端の位置には夫々、上記底受部材とのガイド手段が設けられ、上記保持具本体に対して上記底受部材が下方向に移動した際に上記左右一対の腕状部材の側面保持部が互いに近接する方向に移動するように構成しても良い。
【００１９】
更に、上記軸支部は、上記腕状部材もしくは上記保持具本体の何れか一方から突出するボスと、上記腕状部材もしくは上記保持具本体の何れか他方に形成された上記ボスが挿入可能な穴より構成され、上記ガイド手段は、上記腕状部材もしくは上記底受部材の何れか一方に形成されたガイド面と、上記腕状部材もしくは上記底受部材の何れか他方の部品に形成された、上記ガイド面に対して摺動可能な部分を有するガイド突起により構成されると良い。
【００２０】
更に、上記軸支部に対する上記ガイド面の位置および形状は、上記保持具本体に対して上記底受部材が上方位置にある場合の上記底受部材の移動距離に対する腕状部材の回動角度よりも、上記保持具本体に対して上記底受部材が下方位置にある場合の上記底受部材の移動距離に対する腕状部材の回動角度の方が小さくなるように構成されると良い。
【００２１】
更に、上記ガイド面は、上記保持具本体に対して上記底受部材が下方向に移動した際に上記左右一対の腕状部材の側面保持部が互いに近接する方向に移動するためのガイド面と、上記保持具本体に対して上記底受部材が上方向に移動した際に上記左右一対の腕状部材の側面保持部が互いに離間する方向に移動するためのガイド面と、を有することを特徴とする。
【００２２】
また、上記左右一対の腕状部材の他端の位置には夫々、上記保持具本体に対して回動可能な軸支部が設けられ、上記左右一対の腕状部材の軸支部の周囲の部分には夫々複数の係合歯が形成され、上記底受部材には上方向に向かって延在部が形成され、上記延在部の左右の面には複数の係合歯が形成され、上記腕状部材の係合歯と、上記底受部材の係合歯が互いに係合するように構成されることにより、上記保持具本体に対して上記底受部材が下方向に移動した際に上記左右一対の腕状部材の上記側面保持部が、互いに近接する方向に移動するように構成しても良い。
【００２３】
更に、上記腕状部材の係合歯の上記軸支部からの距離は、上記保持具本体に対して上記底受部材が上方位置にある場合の上記底受部材の係合歯との係合位置で短く、上記保持具本体に対して上記底受部材が下方位置にある場合の上記底受部材の係合歯との係合位置で長くなるように形成されることを特徴とする請求項１０記載の車両用携帯通信端末保持具。
携帯通信端末の背面と対向する表面を有する保持具本体と、携帯通信端末の側面を保持可能な側面保持部を有する左右一対の腕状部材と、携帯通信端末の下方位置を支持可能な底受部材と、上記保持具本体の車両への固定手段と、を有し、上記底受部材は、上記保持具本体に対して上下方向への移動が可能に構成され、上記保持具本体に対する上記底受部材の下方向への移動に連動して上記左右一対の腕状部材の側面保持部が互いに近接する方向に移動するように構成されると良い。
【発明の効果】
【００２４】
本発明の車両用携帯通信端末保持具は、携帯通信端末の着脱が容易で、車両用携帯通信端末保持具の構成部品によって携帯通信端末の表示画面が覆われることも無く、携帯通信端末を縦向きに横向きにも保持することができ、更に携帯通信端末の自重を有効に利用することにより安価なコストの構造でありながら、携帯通信端末をしっかり固定することができる効果を有する。
【図面の簡単な説明】
【００２５】
【図１】本発明の第１実施例に係る車両用携帯通信端末保持具の側面保持部を開いた状態の斜視図である。
【図２】本発明の第１実施例に係る車両用携帯通信端末保持具の側面保持部を閉じた状態の斜視図である。
【図３】本発明の第１実施例に係る車両用携帯通信端末保持具の携帯通信端末を保持する前の参考斜視図である。
【図４】本発明の第１実施例に係る車両用携帯通信端末保持具の携帯通信端末の保持状態の参考斜視図である。
【図５】本発明の第１実施例に係る車両用携帯通信端末保持具の携帯通信端末の保持状態の参考斜視図である。
【図６】本発明の第１実施例に係る車両用携帯通信端末保持具の側面保持部を開いた状態の機構説明用斜視図である。
【図７】本発明の第１実施例に係る車両用携帯通信端末保持具の側面保持部を閉じた状態の機構説明用斜視図である。
【図８】本発明の第１実施例に係る車両用携帯通信端末保持具の機構説明用分解図である。
【図９】本発明の第１実施例に係る車両用携帯通信端末保持具を裏面方向から見た、斜視図である。
【図１０】本発明の第１実施例に係る車両用携帯通信端末保持具を裏面方向から見た、クリップ装着時の斜視図である。
【図１１】本発明の第２実施例に係る車両用携帯通信端末保持具の側面保持部を開いた状態の機構説明用斜視図である。
【図１２】本発明の第３実施例に係る車両用携帯通信端末保持具の側面保持部を開いた状態の機構説明用斜視図である。
【図１３】本発明の第３実施例に係る車両用携帯通信端末保持具の側面保持部を閉じた状態の機構説明用斜視図である。
【図１４】従来技術の車両用携帯通信端末保持具の使用状態を示す正面図である。
【図１５】他の従来技術の車両用携帯通信端末保持具の携帯通信端末の保持状態を示す正面図である。
【図１６】他の従来技術の車両用携帯通信端末保持具の携帯通信端末の保持動作を示す側面図である。
【発明を実施するための形態】
【実施例１】
【００２６】
本発明の第１実施例における車両用携帯通信端末保持具は、図１〜図１０に示すように、携帯通信端末３００の背面と対向する表面１１を有する保持具本体１と、携帯通信端末３００の側面を保持可能な側面保持部２１が一端に形成された左右一対の腕状部材２と、携帯通信端末３００の下方位置を支持可能な受部３１を有する底受部材３と、上記保持具本体１の車両への固定手段と、を有し、上記底受部材３は、上記保持具本体１に対して上下方向への移動が可能に構成され、上記左右一対の腕状部材２の他端の位置は夫々、上記底受部材３に対して回動可能な軸支部が設けられ、上記左右一対の腕状部材の中間の位置には夫々、上記保持具本体１とのガイド手段が設けられ、上記保持具本体１に対して上記底受部材３が下方向に移動した際に上記左右一対の腕状部材２の側面保持部２１が互いに近接する方向に移動するように構成される。
【００２７】
上記軸支部は、上記底受部材３の裏面から後方に突出する左右一対のボス３２と、上記左右一対の腕状部材２の夫々の他端に形成される上記ボス３２を挿入可能な穴２２から構成される。尚、上記軸支部は、上記左右一対の腕状部材２の夫々の他端に形成される前方に突出するボスと、上記ボスを挿入可能な上記底受部材３の後面に形成される左右一対の穴から構成してもよい。（図示せず）
【００２８】
上記ガイド手段は、上記左右一対の腕状部材２の中間部（一端と他端の間の位置）に長穴状に形成されたガイド面２３と、上記保持具本体１の裏面から後方に突出し、上記腕上部材２のガイド面２３と摺動可能な面を有するガイド突起１２により構成される。尚、上記ガイド面２３を長穴状に形成せず、上記保持具本体１に向かって突出する壁状部材によって構成しても良い。（図示せず）また、上記ガイド手段は、上記保持具本体１に長穴状もしくは裏面から後方に突出する壁状のガイド面を設け、上記左右一対の腕状部材２に、前方に向かって突出して形成されるガイド突起を設けることによって上記ガイド手段を構成しても良い。（図示せず）
【００２９】
上記軸支部に対する上記ガイド面２３の位置および形状は、上記保持具本体１に対して上記底受部材３が上方位置にある場合の上記底受部材３の移動距離に対する腕状部材２の回動角度よりも、上記保持具本体１に対して上記底受部材３が下方位置にある場合の上記底受部材３の移動距離に対する腕状部材２の回動角度の方が小さくなるように湾曲して形成されることにより、上記腕状部材２の側面保持部２１の移動距離は、上記保持具本体１に対して上記底受部材３が上方位置にある場合の、上記保持具本体１に対する上記底受部材３の移動に連動して移動する距離よりも、上記保持具本体１に対して上記底受部材３が下方位置にある場合の、上記保持具本体１に対する上記底受部材３の移動に連動して移動する距離の方が小さくなるように構成されるため、上記底受部材３が下方位置に下がり携帯通信端末３００を保持している状態の保持トルクが上昇するため、携帯通信端末３００の自重によって本発明の車両用携帯通信端末保持具に携帯通信端末３００をしっかり固定することができる。
【００３０】
また、上記ガイド面２３は、上記保持具本体１に対して上記底受部材３が下方向に移動した際に上記左右一対の腕状部材２の側面保持部２１が互いに近接する方向に移動するためのガイド面２３ａと、上記保持具本体１に対して上記底受部材３が上方向に移動した際に上記左右一対の腕状部材２の側面保持部２１が互いに離間する方向に移動するためのガイド面２３ｂと、が形成されることが望ましい。その場合、携帯通信端末３００の未保持状態では、上記保持具本体１に対して上記底受部材３が上方向に自動的に移動するように、バネ手段（図示せず）で上記底受部材を上方向に附勢するように構成しても良く、その場合に上記バネ手段の附勢力は携帯通信端末３００の自重よりも小さく設定する必要があり、携帯通信端末３００の保持状態において、携帯通信端末３００をしっかり固定するために、標準的な携帯通信端末の重量（８０ｇ〜１６０ｇ）の半分以下（４０ｇ以下）の附勢力であることが望ましい。
【００３１】
上記保持具本体１に対する上記底受部材３の上下方向への移動可能な構成は、上記保持具本体１の左右方向の略中間位置において下方部が開口した左右一対の上下溝１３が形成され、上記底受部材３は上記保持具本体１の左右一対の上下溝１３間において上記保持具本体１の前面に配置される縦壁部３３と、上記縦壁部３３の左右の端部から後方に向かって形成され、上記上下溝１３内を上下方向に移動可能に形成される奥行部３４と、上記奥行部３４の後端部において左右方向に形成される裏当部３５より構成され、上記裏当部３５は、上記保持具本体１の上記左右一対の上下溝１３と隣接する裏面の左右外側位置との摺動面が形成される。尚、本発明の上記保持具本体１に対する上記底受部材３の上下方向への移動可能は、上記実施例に限定されず既存の部品間の相対的な移動構造を自由に利用することができる。
【００３２】
上記保持具本体１の車両への固定手段は、上記保持具本体１の裏面に上記左右一対の腕状部材２と上記底受部材３を配置した状態で、上記保持具本体１の裏面を覆う本体カバー４を有し。上記本体カバー４はネジ４１によって、上記本体カバー４に形成された貫通孔を介して上記保持具本体１の裏面に形成されたボス穴１４に固定され、上記裏面カバー４の後面には、上記裏面カバー４に対して左右方向に対する傾斜可能な角度調整部材５が配置され、上記角度調整部材５の裏面には自動車のエアコンルーバーと接続可能なクリップ６を固定する溝部５１が形成される。尚、上記裏面カバー４に直接、クリップ６を固定する溝部を形成しても良く（図示せず）、また、上記クリップ６の代わりに、既存のドア掛け具や、既存のダッシュボード貼り付け具を固定するように構成しても良く、直接、上記保持具本体１に固定手段を接続しても良い。尚、本発明の固定手段は、上記実施例に限定されず既存の車両に対する物品の固定技術を自由に利用することができる。
【実施例２】
【００３３】
本発明の第２実施例における車両用携帯通信端末保持具は、図１１に示すように、携帯通信端末３００の背面と対向する表面１１１を有する保持具本体１０１と、携帯通信端末３００の側面を保持可能な側面保持部１２１が一端に形成された左右一対の腕状部材１０２と、携帯通信端末３００の下方位置を支持可能な受部１３１を有する底受部材１０３と、上記保持具本体１０１の車両への固定手段と、を有し、上記底受部材１０３は、上記保持具本体１０１に対して上下方向への移動が可能に構成され、上記左右一対の腕状部材１０２の中間の位置には夫々、上記保持具本体１０１に対して回動可能な軸支部が設けられ、上記左右一対の腕状部材の他端の位置には夫々、上記底受部材１０３とのガイド手段が設けられ、上記保持具本体１０１に対して上記底受部材１０３が下方向に移動した際に上記左右一対の腕状部材１０２の側面保持部１２１が互いに近接する方向に移動するように構成される
【００３４】
上記軸支部は、上記保持具本体１０１の裏面から後方に突出する左右一対のボス１１２と、上記左右一対の腕状部材１０２の夫々の中間部（一端と他端の間の位置）に形成される上記ボス１１２を挿入可能な穴１２２から構成される。尚、上記軸支部は、上記左右一対の腕状部材１０２の夫々の中間部に形成される前方に突出するボスと、上記保持具本体１１１の後面に形成される上記ボスを挿入可能な左右一対の穴から構成してもよい。（図示せず）
【００３５】
上記ガイド手段は、上記左右一対の腕状部材１０２の他端に長穴状に形成されたガイド面１２３と、上記底受部材１０３の裏面から後方に突出し、上記腕上部材１０２のガイド面１２３と摺動可能な部分を有するガイド突起１３２により構成される。尚、上記ガイド面１２３を長穴状に形成せず、上記底受部材１０３に向かって突出する壁部によって構成しても良い。（図示せず）また、上記ガイド手段は、上記底受部材１０３に長穴状もしくは裏面から後方に突出する壁状のガイド面を設け、上記左右一対の腕状部材１０２の前方に向かって突出して形成されるガイド突起を設けることによって上記ガイド手段を構成しても良い。（図示せず）
【００３６】
上記軸支部に対する上記ガイド面１２３の位置および形状は、上記保持具本体１０１に対して上記底受部材１０３が上方位置にある場合の上記底受部材１０３の移動距離に対する腕状部材１０２の回動角度よりも、上記保持具本体１０１に対して上記底受部材１０３が下方位置にある場合の上記底受部材１０３の移動距離に対する腕状部材１０２の回動角度の方が小さくなるように湾曲して形成されることにより、上記腕状部材１０２の側面保持部１２１の移動距離は、上記保持具本体１０１に対して上記底受部材１０３が上方位置にある場合の、上記保持具本体１０１に対する上記底受部材１０３の移動に連動して移動する距離よりも、上記保持具本体１０１に対して上記底受部材１０３が下方位置にある場合の、上記保持具本体１０１に対する上記底受部材１０３の移動に連動して移動する距離の方が小さくなるように構成されるため、記底受部材１０３が下方位置に下がり携帯通信端末３００を保持している状態の保持トルクが上昇するため、携帯通信端末３００の自重によって本発明の車両用携帯通信端末保持具に携帯通信端末３００をしっかり固定することができる。
【００３７】
また、上記ガイド面１２３は、上記保持具本体１０１に対して上記底受部材１０３が下方向に移動した際に上記左右一対の腕状部材１０２の側面保持部１２１が互いに近接する方向に移動するためのガイド面１２３ａと、上記保持具本体１０１に対して上記底受部材１０３が上方向に移動した際に上記左右一対の腕状部材１０２の側面保持部１２１が互いに離間する方向に移動するためのガイド面１２３ｂと、が形成されることが望ましい。その場合、携帯通信端末３００の未保持状態で上記保持具本体１０１に対して上記底受部材１０３が上方向に自動的に移動するように、バネ手段（図示せず）で上記底受部材１０３を上方向に附勢するように構成しても良く、その場合に上記バネの附勢力は携帯通信端末３００の自重よりも小さく設定する必要があり、携帯通信端末３００の保持状態において、携帯通信端末３００をしっかり固定するために、標準的な携帯通信端末３００の重量（８０ｇ〜１６０ｇ）の半分以下（４０ｇ以下）の附勢力であることが望ましい。
【００３８】
上記保持具本体１０１に対する上記底受部材１０３の上下方向への移動可能な構成は、実施例１と同様に構成され、上記保持具本体１０１の左右方向の略中間位置において下方部が開口した左右一対の上下溝が形成され、上記底受部材１０３は上記保持具本体１０１の左右一対の上下溝間において上記保持具本体１０１の前面に配置される縦壁部と、上記縦壁部の左右の端部から後方に向かって形成され、上記上下溝内を上下方向に移動可能に形成される奥行部と、上記奥行部の後端部において左右方向に形成される裏当部より構成され、上記裏当部は、上記保持具本体１０１の上記左右一対の上下溝と隣接する裏面の左右外側位置との摺動面を有する。（図示せず）尚、本発明の上記保持具本体１０１に対する上記底受部材１０３の上下方向への移動可能は、上記実施例に限定されず既存の部品間の相対的な移動構造を自由に利用することができる。
【００３９】
上記保持具本体１０１の車両への固定手段は、本発明の実施例１と同様に構成され、上記保持具本体１０１の裏面に上記左右一対の腕状部材１０２と上記底受部材１０３を配置した状態で、上記保持具本体１０１の裏面を覆う本体カバーを有し。上記本体カバーはネジによって、上記本体カバーに形成された貫通孔を介して上記保持具本体１０１の裏面に形成されたボス穴１１４に固定され、上記裏面カバーの後面には、上記裏面カバーに対して左右方向に対する傾斜可能な角度調整部材が配置され、上記角度調整部材の裏面には自動車のエアコンルーバーと接続可能なクリップを固定する溝部が形成される。（図示せず）尚、上記裏面カバーに直接、クリップを固定する溝部を形成しても良く（図示せず）、また、上記クリップの代わりに、既存のドア掛け具や、既存のダッシュボード貼り付け具を固定するように構成しても良く、直接、上記保持具本体１０１に固定手段を接続しても良い。尚、本発明の固定手段は、上記実施例に限定されず既存の車両に対する物品の固定技術を自由に利用することができる。
【実施例３】
【００４０】
本発明の第３実施例における車両用携帯通信端末保持具は、図１２、図１３に示すように、
携帯通信端末３００の背面と対向する表面２１１を有する保持具本体２０１と、携帯通信端末３００の側面を保持可能な側面保持部２２１が一端に形成された左右一対の腕状部材２０２と、携帯通信端末３００の下方位置を支持可能な受部２３１を有する底受部材２０３と、上記保持具本体２０１の車両への固定手段と、を有し、上記底受部材２０３は、上記保持具本体２０１に対して上下方向への移動が可能に構成され、上記左右一対の腕状部材２０２の他端の位置には夫々、上記保持具本体２０１に対して回動可能な軸支部が設けられ、上記左右一対の腕状部材２０２の軸支部の周囲の部分には夫々複数の係合歯２２２が形成され、上記底受部材２０３には上方向に向かって延在部２３２が形成され、上記延在部２３２の左右の面には複数の係合歯２３３が形成され、上記腕状部材の係合歯２２２と、上記底受部材の係合歯２３３が互いに係合するように構成されることにより、上記保持具本体２０１に対する上記底受部材２０３の上下方向の移動に連動して上記腕状部材２０２が回動する動作機構を有することにより、上記保持具本体２０１に対して上記底受部材２０３が下方向に移動した際に上記左右一対の腕状部材２０２の側面保持部２２１が互いに近接する方向に移動するように構成され、また、上記保持具本体２０１に対して上記底受部材２０３が上方向に移動した際に上記左右一対の腕状部材２０２の上記側面保持部２２１が、互いに離間する方向に移動するように構成される。
【００４１】
上記軸支部は、上記保持具本体２０１の裏面から後方に突出する左右一対のボス２１２と、上記ボス２１２を挿入可能な上記左右一対の腕状部材２０２の夫々の他端の位置に形成される穴２２３から構成される。尚、上記軸支部は、上記左右一対の腕状部材２０２の夫々の他端の前面に前方に突出するボスを形成し、上記ボスを挿入可能な穴を上記保持具本体２０１の後面に形成してもよい。（図示せず）
【００４２】
上記腕状部材２０２の係合歯２２２の上記軸支部の穴２２３の中心からの距離は、上記保持具本体２０１に対して上記底受部材２０３が上方位置にある場合の上記底受部材２０３の係合歯２３３との係合位置で短く、上記保持具本体２０１に対して上記底受部材２０３が下方位置にある場合の上記底受部材２０３の係合歯２３３との係合位置で長くなるように形成されることにより、上記保持具本体２０１に対して上記底受部材２０３が上方位置にある場合の上記底受部材２０３の移動距離に対する腕状部材２０２の回動角度よりも、上記保持具本体２０１に対して上記底受部材２０３が下方位置にある場合の上記底受部材２０３の移動距離に対する腕状部材２０２の回動角度の方が小さくなり、上記腕状部材２０２の側面保持部２２１の移動距離は、上記保持具本体２０１に対して上記底受部材２０３が上方位置にある場合の、上記保持具本体２０１対する上記底受部材２０３の移動に連動して移動する側面保持部２２１の距離よりも、上記保持具本体２０１に対して上記底受部材２０３が下方位置にある場合の、上記保持具本体２０１に対する上記底受部材２０３の移動に連動して移動する側面保持部２２１の距離の方が小さくなるように構成されるので、上記底受部材２０３が下方位置に下がり携帯通信端末３００を保持している状態の保持トルクが上昇するため、携帯通信端末３００の自重によって本発明の車両用携帯通信端末保持具に携帯通信端末３００をしっかり固定することができる。
【００４３】
また、携帯通信端末３００を外した状態で上記保持具本体２０１に対して上記底受部材２０３が上方向に自動的に移動するように、バネ手段（図示せず）で上記底受部材２０３を上方向に附勢するように構成しても良く、その場合の上記バネの附勢力は携帯通信端末３００の自重よりも小さく設定する必要があり、携帯通信端末３００の保持状態において、携帯通信端末３００をしっかり固定するために、標準的な携帯通信端末３００の重量（８０ｇ〜１６０ｇ）の半分以下（４０ｇ以下）の附勢力であることが望ましい。
【００４４】
上記保持具本体２０１に対する上記底受部材２０３の上下方向への移動可能な構成は、実施例１と同様に構成され、上記保持具本体２０１の左右方向の略中間位置において下方部が開口した左右一対の上下溝が形成され、上記底受部材２０３は上記保持具本体２０１の左右一対の上下溝間において上記保持具本体２０１の裏面に配置される縦壁部と、上記縦壁部の左右の端部から後方に向かって形成され、上記上下溝内を上下方向に移動可能に形成される奥行部と、上記奥行部の後端部において左右方向に形成される裏当部より構成され、上記裏当部は、上記保持具本体２０１の上記左右一対の上下溝と隣接する裏面の左右外側位置との摺動面を有する。（図示せず）尚、本発明の上記保持具本体２０１に対する上記底受部材２０３の上下方向への移動可能は、上記実施例に限定されず既存の部品間の相対的な移動構造を自由に利用することができる。
【００４５】
上記保持具本体２０１の車両への固定手段は、実施例１と同様に構成され、上記保持具本体２０１の裏面に上記左右一対の腕状部材２０２と上記底受部材２０３を配置した状態で、上記保持具本体２０１の裏面を覆う本体カバーを有し。上記本体カバーはネジによって、上記本体カバーに形成された貫通孔を介して上記保持具本体２０１の裏面に形成されたボス穴２１４に固定され、上記裏面カバーの後面には角度調整部材が配置され、角度調整部材の裏面にて自動車のエアコンルーバーと接続可能なクリップを固定する溝部が形成される。尚、上記裏面カバーに直接、クリップを固定する溝部が形成しても良く、また、クリップの代わりに、既存のドア掛け具や、既存のダッシュボード貼り付け具を固定するように構成しても良く、上記直接保持具本体２０１に固定手段を接続しても良い。尚、本発明の固定手段は、上記実施例に限定されず既存の車両に対する物品の固定技術を自由に利用することができる。
【産業上の利用可能性】
【００４６】
本発明の車両用携帯通信端末保持具は、車両への携帯通信端末の保持具として、産業上有効に利用することができる。
【符号の説明】
【００４７】
１：保持具本体、２：腕状部材、３：底受部材、４：本体カバー、５：角度調整部材、６：クリップ、１１：表面、１２：ガイド突起、１３：上下溝、１４：ボス穴、２１：側面保持部、２２：穴、２３：ガイド面、２３ａ：ガイド面、２３ｂ：ガイド面、３１：受部、３２：ボス、３３：縦壁部、３４：奥行部、３５：裏当部、４１：ネジ、５１：溝部、１０１：保持具本体、１０２：腕状部材、１０３：底受部材、１１１：表面、１１２：ボス、１１４：ボス穴、１２１：側面保持部、１２２：穴、１２３：ガイド面、１２３ａ：ガイド面、１２３ｂ：ガイド面、１３１：受部、１３２：ガイド突起、２０１：保持具本体、２０２：腕状部材、２０３：底受部材、２１１：表面、２１２：ボス、２１４：ボス穴、２２１：側面保持部、２２２：係止歯、２２３：穴、２３１：受部、２３２：延在部、２３３：係止歯、３００：携帯通信端末、４０１：保持具本体、４０２：上側バンド、４０３：下側バンド、４１１：装着基部、４１２：保持部本体、４１３：保持アーム、４２１：背板ユニット部、４２２：底板部、４２３：バネ、４２４：リンク素体、４２５：前板部
【図１】
2015163491.tif 000003
【図２】
2015163491.tif 000004
【図３】
2015163491.tif 000005
【図４】
2015163491.tif 000006
【図５】
2015163491.tif 000007
【図６】
2015163491.tif 000008
【図７】
2015163491.tif 000009
【図８】
2015163491.tif 000010
【図９】
2015163491.tif 000011
【図１０】
2015163491.tif 000012
【図１１】
2015163491.tif 000013
【図１２】
2015163491.tif 000014
【図１３】
2015163491.tif 000015
【図１４】
2015163491.tif 000016
【図１５】
2015163491.tif 000017
【図１６】
2015163491.tif 000018